(57)【要約】【課題】点検漏れの発生を防止する点検作業管理システムを提供する。【解決手段】構造物における点検作業者Ｍが行う点検作業を管理する点検作業管理システムは、点検工具が点検に必要な距離に近づいたＩＣタグの固有ＩＤの情報を記録するＩＤ記録部４２と、ＩＤ記録部４２に記録された固有ＩＤに基づいて、位置情報記憶部４１に記憶されている複数の位置情報から構造物における点検すべき位置情報を報知する点検位置報知部４３とを備える。【選択図】図７
2014177845.tif 000002
【特許請求の範囲】
【請求項１】
構造物における点検作業者が行う点検作業を管理する点検作業管理システムであって、
予め、構造物の複数の点検箇所又はその近傍に設けられた複数のＩＣタグであって各ＩＣタグが固有ＩＤを有する複数のＩＣタグと、
前記点検作業者が前記複数の点検箇所の点検に用いる点検工具と、
前記点検工具に設けられ前記複数のＩＣタグのうち前記点検工具が点検に必要な距離に近づいたＩＣタグの固有ＩＤを取得するＩＤ取得部と、
それぞれが各ＩＣタグの固有ＩＤに関連付けられた前記構造物における複数の位置情報を有する位置情報記憶部と、
前記ＩＤ取得部が取得した固有ＩＤの情報を記録するＩＤ記録部と、
前記ＩＤ記録部に記録された固有ＩＤに基づいて、前記位置情報記憶部に記憶されている前記複数の位置情報から前記構造物における点検すべき位置情報を報知する点検位置報知部と、を備える、点検作業管理システム。
【請求項２】
さらに、前記ＩＤ取得部が固有ＩＤを取得した際に、前記点検工具を用いた前記点検によって得られた点検結果情報を取得する点検結果情報取得部と、
前記点検結果情報を固有ＩＤに関連付けて記録する点検結果記録部と、を備える、請求項１に記載の点検作業管理システム。
【請求項３】
前記点検工具は打音点検具であり、
前記点検結果情報は打音である、請求項２に記載の点検作業管理システム。
【請求項４】
さらに、それぞれが固有ＩＤに関連付けられ過去の点検により得られた複数の過去点検結果情報を有する過去点検結果情報記録部と、
前記固有ＩＤに関連付けられた点検結果情報と、前記複数の過去点検結果情報記録部のうち前記固有ＩＤに関連付けられた過去点検結果情報とを対比する対比部と、
前記対比部の結果が前記点検で規定されている許容範囲を超えている場合に、前記点検作業者に報知する点検異常報知部と、を備える、請求項２又は３に記載の点検作業管理システム。
【請求項５】
前記点検結果情報及び前記過去点検結果情報はいずれも周波数であり、前記対比部は両者の周波数で対比する、請求項４に記載の点検作業管理システム。
【請求項６】
前記位置情報記憶部は、さらに、それぞれが前記複数の位置情報のそれぞれの点検順番を表す複数の点検順番情報を有する、請求項１から５のいずれかに記載の点検作業管理システム。
【請求項７】
さらに、前記位置情報記憶部に記憶された複数の位置情報と前記ＩＤ記録部に記録された固有ＩＤとに基づいて点検結果を出力する点検結果出力部を備える、請求項１から６のいずれかに記載の点検作業管理システム。
【発明の詳細な説明】
【技術分野】
【０００１】
本発明は、機械装置や建築物のような構造物、特にコンクリート構造物の点検作業を管理する点検作業管理システムに関する。
【背景技術】
【０００２】
機械装置や建築物のような構造物の点検作業を管理する点検作業管理システムとしては、特許文献１に記載の技術が知られている。
特許文献１に記載の技術は、点検箇所に設置されたＩＣタグから出力された固有ＩＤを取得し、また、点検箇所における打音点検の音を検出し、記録する点検作業を管理する点検作業管理システムである。
【先行技術文献】
【特許文献】
【０００３】
【特許文献１】特開２００６−２７３２６５号公報
【発明の概要】
【発明が解決しようとする課題】
【０００４】
しかし、特許文献１に記載の技術では、点検が終わっていない点検箇所を知ることができないので、点検箇所の数が多くなるにつれて、点検漏れが発生する可能性が大きくなるという問題がある。
【０００５】
本発明の課題は、点検漏れの発生を防止する点検作業管理システムを提供することを課題とする。
【課題を解決するための手段】
【０００６】
本発明に係る点検作業管理システムは、構造物における点検作業者が行う点検作業を管理する点検作業管理システムである。点検作業管理システムは、予め、構造物の複数の点検箇所又はその近傍に設けられた複数のＩＣタグであって各ＩＣタグが固有ＩＤを有する複数のＩＣタグと、前記点検作業者が前記複数の点検箇所の点検に用いる点検工具と、前記点検工具に設けられ前記複数のＩＣタグのうち前記点検工具が点検に必要な距離に近づいたＩＣタグの固有ＩＤを取得するＩＤ取得部と、それぞれが各ＩＣタグの固有ＩＤに関連付けられた前記構造物における複数の位置情報を有する位置情報記憶部と、前記ＩＤ取得部が取得した固有ＩＤの情報を記録するＩＤ記録部と、前記ＩＤ記録部に記録された固有ＩＤに基づいて、前記位置情報記憶部に記憶されている前記複数の位置情報から前記構造物における点検すべき位置情報を報知する点検位置報知部と、を備える。
【０００７】
点検作業管理システムは、さらに、前記ＩＤ取得部が固有ＩＤを取得した際に、前記点検工具を用いた前記点検によって得られた点検結果情報を取得する点検結果情報取得部と、前記点検結果情報を固有ＩＤに関連付けて記録する点検結果記録部と、を備えてもよい。
前記点検工具は打音点検具であり、前記点検結果情報は打音であってもよい。
【０００８】
点検作業管理システムは、さらに、それぞれが固有ＩＤに関連付けられ過去の点検により得られた複数の過去点検結果情報を有する過去点検結果情報記録部と、前記固有ＩＤに関連付けられた点検結果情報と、前記複数の過去点検結果情報記録部のうち前記固有ＩＤに関連付けられた過去点検結果情報とを対比する対比部と、前記対比部の結果が前記点検で規定されている許容範囲を超えている場合に、前記点検作業者に報知する点検異常報知部と、を備えてもよい。
【０００９】
前記点検結果情報及び前記過去点検結果情報はいずれも周波数であり、前記対比部は両者の周波数で対比してもよい。
【００１０】
前記位置情報記憶部は、さらに、それぞれが前記複数の位置情報のそれぞれの点検順番を表す複数の点検順番情報を有してもよい。
点検作業管理システムは、さらに、前記位置情報記憶部に記憶された複数の位置情報と前記ＩＤ記録部に記録された固有ＩＤとに基づいて点検結果を出力する点検結果出力部を備えてもよい。
【発明の効果】
【００１１】
本発明によれば、点検漏れの発生を防止する点検作業管理システムを提供することができる。
【図面の簡単な説明】
【００１２】
【図１】本発明に係る一例の点検作業管理システムの断面図である。
【図２】図１に示した点検箇所の別の例を示す断面図である。
【図３】図２に示した点検工具の一部を省略した斜視図である。
【図４】図２に示した点検工具の一部を省略したブロック図である。
【図５】図１に示した携帯端末の一部を省略した斜視図である。
【図６】図５に示した携帯端末の一部を省略した構成図である。
【図７】図５に示した携帯端末の一部を省略したブロック図である。
【図８】図１に示した点検作業管理システムで用いる管理装置の一部を省略した構成図である。
【発明を実施するための形態】
【００１３】
図１から図７を参照して、本発明に係る点検作業管理システムの好適な実施形態について説明する。
図１に示すように、機械装置や建築物のような構造物の一例として、トンネルのようなコンクリート構造物の点検作業を管理する点検作業管理システム１は、複数のＩＣタグ５と、点検工具２０と、点検センサー部３０（図３参照）と、携帯端末４０と、管理装置５０（図８参照）とを備える。
図１及び図２に示すように、複数のＩＣタグ５は、それぞれ、構造物の複数の点検箇所（図２参照）又はその近傍１０（図１参照）に設けられており、互いに異なる複数の固有ＩＤを有する。ＩＣタグ５はパッシブタイプのＩＣタグであることが好ましい。
各点検箇所は、例えば、ボルト１２に螺合しているナット１１であり、ボルト１２は、コンクリート基礎１３に埋め込まれており、ボルト１２の近傍におけるコンクリート基礎１３には、ＩＣタグ５が埋め込まれている。
【００１４】
図１に示すように、点検工具２０は、例えば、ナット１１を叩くハンマーでのような打音点検具である。
点検工具２０と携帯端末４０とは、点検作業者Ｍが携帯して、点検できるように構成されている。
【００１５】
図３に示すように、点検工具２０は、例えば、ハンマー本体２１と、ハンマーヘッド２２とを有する。
点検センサー部３０は、ＩＣタグ５の固有ＩＤを受信するアンテナ３１と、受信した電波を読み取るリーダーライダー３２と、ハンマーヘッド２２がナット１１に打撃した際に生じる打音を取得する打音マイク３４と、リーダーライダー３２及び打音マイク３４を作動させる電池のようなバッテリー３３とを有する。
【００１６】
図４に示すように、点検センサー部３０のリーダーライダー３２は、ＣＰＵやメモリを有し、メモリに格納されたプログラムにより、ＣＰＵを、ＩＤ取得部３５と、点検結果情報取得部３６とに機能させている。
ＩＤ取得部３５は、アンテナ３１が受信したＩＣタグ５の固有ＩＤを取得する受信部である。点検結果情報取得部３６は、打音マイク３４が受信した打音情報を取得する受信部である。打音情報としては、例えば、打音の周波数である。
【００１７】
図５に示すように、携帯端末４０の外観は、ブザーやスピーカーのような報知部４８と、画像を表示させるモニタ４９とを有する。
図６に示すように、携帯端末４０は、ＣＰＵ４２０とメモリ４５０と報知部４８とモニタ４９と管理装置５０に接続するコネクタ４１０とを有する。
【００１８】
図７に示すように、携帯端末４０は、メモリ４５０に格納されたプログラムにより、ＣＰＵ４２０を、位置情報記憶部４１と、ＩＤ記録部４２と、点検位置報知部４３と、点検結果記録部４４と、過去点検結果情報記録部４５と、対比部４６と、点検異常報知部４７とに機能させている。
位置情報記憶部４１は、構造物内において複数のＩＣタグ５が位置している位置情報を記憶しているデーターベースを構築している。位置情報は、例えば、基準となる位置からの直進距離や高さや向きなどである。位置情報記憶部４１は、さらに、複数の点検順番情報を有する。複数の点検順番情報は、それぞれ、複数の位置情報の点検順番を表す。これにより、点検作業者Ｍは、予め決められた複数の点検順番情報に基づいた順番で点検箇所の検査を行う。
【００１９】
ＩＤ記録部４２には、取得した固有ＩＤが、位置情報と関連付けて記録されている。
点検位置報知部４３は、予め点検の順番が記録された順番情報に基づいて、点検作業者Ｍが次に点検を行う点検箇所の位置をモニタ４９に表示させる機能を有する。
点検結果記録部４４には、取得した固有ＩＤに関連付けて打音情報が記録されている。
過去点検結果情報記録部４５は、過去に点検した際の、固有ＩＤと、固有ＩＤに関連付けられた打音情報とが記録されているデーターベースを構築している。
【００２０】
対比部４６は、取得した打音情報と、取得した固有ＩＤに対する過去の打音情報とを対比し、異常があるか否かを判断する判断機能を有する。対比部４６は、例えば、打音の周波数で対比し、点検で規定されている周波数よりも許容範囲を超えている場合に、異常があると判断する。
点検異常報知部４７は、対比部４６が対比した結果、異常であると判断した場合、点検作業者Ｍに注意喚起するために、報知部４８に報知させる機能を有する。
【００２１】
図８に示すように、管理装置５０は、一般的なコンピューターであり、ＣＰＵ５１と、メモリ５３と、モニタ５２と、携帯端末４０のコネクタ４１０に接続するコネクタ５４とを備える。
ＣＰＵ５１及びメモリ５３に記録されたプログラムにより、ＣＰＵ５１を、位置情報記憶部４１に記憶された複数の位置情報とＩＤ記録部４２に記録された固有ＩＤとに基づいて点検結果が得られるよう機能させる。
モニタ５２は、ＣＰＵ５１が得た点検結果を出力する点検結果出力部として機能する。
【００２２】
以上の点検作業管理システム１は、例えば、以下のように作動する。
点検作業者Ｍは、点検工具２０を携帯し、点検箇所であるナット１１を点検工具２０のハンマーヘッド２２で叩く。
このとき、点検センサー部３０のアンテナ３１がＩＣタグ５に近づくので、リーダーライダー３２のＩＤ取得部３５が、アンテナ３１を介して、ＩＣタグ５の固有ＩＤを受信する。
また、打音が発生するので、点検結果情報取得部３６が打音マイク３４を介してその打音を打音情報として取得する。
リーダーライダー３２は、ＩＤ取得部３５で取得された固有ＩＤ及び点検結果情報取得部３６で取得された打音情報を、無線や有線で携帯端末４０に送信する。
【００２３】
携帯端末４０は、リーダーライダー３２から送信された固有ＩＤ及び打音情報を受信すると、それぞれ、ＩＤ記録部４２及び点検結果記録部４４に記録すると共に、固有ＩＤに基づいて位置情報記憶部４１から固有ＩＤに関連付けられた構造物における位置情報を取得し、構造物における次に点検すべき位置情報を、点検位置報知部４３を介してモニタ４９に表示する。これにより、点検作業者Ｍは次に点検すべき位置を知ることができるので、点検漏れの発生を防止することができる。
【００２４】
さらに、対比部４６は、固有ＩＤに対する過去点検結果情報記録部４５に記録されている打音情報を読み出し、読み出された打音情報と点検結果記録部４４に記録されている打音情報とを対比し、異常があるか否かを判断する。対比部４６は、例えば、打音の周波数で対比し、点検で規定されている周波数よりも許容範囲を超えている場合に、異常があると判断する。
点検異常報知部４７は、対比部４６が対比した結果、ナット１１が緩んでいるなどの異常であると判断した場合、報知部４８を作動させ、点検作業者Ｍに注意喚起する。これにより、点検作業者Ｍが熟練者でなくても、ナット１１が過去に打音検査した際の打音と異なることを知ることができる。
【００２５】
点検作業者Ｍは、すべての点検箇所の点検が終了すると、携帯端末４０のコネクタ４１０を管理装置５０のコネクタ５４に接続させ、点検した記録を管理装置５０のメモリ５３に転送すると共に、モニタ５２に表示する。また、管理装置５０は、点検した点検結果を印刷する点検結果出力部を備えていても良い。
【００２６】
このように、点検作業管理システム１は、点検漏れの発生を防止することができる。
また、点検作業管理システム１は次に点検すべき位置を点検位置報知部４３によって点検作業者Ｍに報知されるので、点検作業者Ｍは、効率的に点検作業を行うことができる。
また、対比部４６は、固有ＩＤに対する過去点検結果情報記録部４５に記録されている打音情報を読み出し、読み出された打音情報と点検結果記録部４４に記録されている打音情報とを対比し、異常があるか否かを判断するので、点検作業者Ｍが熟練作業者でなくても、ナット１１が過去に打音検査した際の打音と異なることを知ることができる。
【００２７】
以上、好適な実施形態について説明したが、本発明は上述した実施形態に限定されることなく種々の形態で実施することができる。
【符号の説明】
【００２８】
Ｍ  点検作業者
１  点検作業管理システム
５  ＩＣタグ
１０  点検箇所の近傍
１１  ナット
１２  ボルト
１３  コンクリート基礎
２０  点検工具
２１  ハンマー本体
２２  ハンマーヘッド
３０  点検センサー部
３１  アンテナ
３２  リーダーライダー
３３  バッテリー
３４  打音マイク
３５  ＩＤ取得部
３６  点検結果情報取得部
４０  携帯端末
４１  位置情報記憶部
４２  ＩＤ記録部
４３  点検位置報知部
４４  点検結果記録部
４５  過去点検結果情報記録部
４６  対比部
４７  点検異常報知部
４８  報知部
４９  モニタ
５０  管理装置
５１  ＣＰＵ
５２  モニタ
５３  メモリ
５４  コネクタ
４１０  コネクタ
４２０  ＣＰＵ
４５０  メモリ
【図１】
2014177845.tif 000003
【図２】
2014177845.tif 000004
【図３】
2014177845.tif 000005
【図４】
2014177845.tif 000006
【図５】
2014177845.tif 000007
【図６】
2014177845.tif 000008
【図７】
2014177845.tif 000009
【図８】
2014177845.tif 000010